(57)【特許請求の範囲】
【請求項１】
上方に位置する一次回収タンクの下底部が下方に位置する二次回収タンクと切換弁を介して導通せられ、一次回収タンクから導出された吸込管の先端部が液体または固液混合体の供給源へ開口され、一次回収タンクの上方部は吸気管路により真空発生装置の吸込口へ連通され、二次回収タンクの上方部には圧力センサが付設されると共に下方部からは圧送用開閉弁を介して揚送管路が導延せられ、コンプレッサから導出された送気管が分岐されてその一路は加圧排出用開閉弁を介して二次回収タンク内へ開口され、送気管の他の一路は加圧圧送用開閉弁を介して圧送用開閉弁の二次側より揚送管路内へ開口せられ、二次回収タンクの上方部と一次回収タンクの上方部とが連通用開閉弁を介して通気管の導通により同圧となるように構成されており、上記圧力センサの検知によって圧送用開閉弁および加圧排出用開閉弁を閉作動させてから、連通用開閉弁を開作動させて二次回収タンクと一次回収タンク内を同様の減圧状態となしたのち、切換弁を開作動させることで一次回収タンク内の貯留物を二次回収タンク内へ流下させるようにしたことを特徴とする、液体および固液混合体の高揚程吸排装置。
【発明の詳細な説明】
【０００１】
【発明の技術分野】
本発明は、例えばシールド工法におけるセグメントのインバートの泥水処理等に供せられる、液体および固液混合体の高揚程吸排装置に関するものである。
【０００２】
【従来技術とその問題点】
図２に示すよう、真空ポンプ１１３の吸引作用により吸排タンク１０２内へ回収された液体または固液混合体を排水ポンプ１１６の吐出作用によって排送させるという吸排装置は公知である。しかし高揚程の吸排は困難であり、また、回収物中に固分が多く含まれている場合には液分のみが排出され、固分が吸排タンク１０２内に残存したり、揚水管１０８内で固分による閉塞が生じることになる。
【０００３】
それを解決する対策として、吸込管路１０４中に固分回収タンク１０１を脱着可能に介装させておき、真空ポンプ１１３の吸引作用により吸引された固液混合体を一旦固分回収タンク１０１内へ収容させ、重力により分離した液分のみを吸排タンク１０２内へ移送して排水ポンプ１１６の吐出作用で揚水管１０８を通じて排送させ、固分が満杯となった固分回収タンク１０１は吸込管路１０４中から取り外して坑外へ引き揚げ、固分を排出したのち再び坑内へ固分回収タンク１０１を降下させて吸込管路１０４に接続させるという手段が講じられている。しかしこのような繁雑な作業に多大の労力を必要とするばかりでなく、その間吸排作業を中断しなければならないという欠点がある。
【０００４】
【発明の目的】
本発明の目的は、上記従来の欠点を払拭して回収物中に固分が多く含まれている場合でも揚送管路を通じての排出が強力かつ円滑に行われ、吸排タンク内に固分が残存することな、かつ揚送管路内に閉塞を生じさせることなく作業性に優れ、高濃度スラリーの高揚程吸排にも使用し得る装置を提供することにある。
【０００５】
【発明の構成】
本発明に係る液体および固液混合体の高揚程吸排装置においては、上方に位置する一次回収タンクの下底部が下方に位置する二次回収タンクと切換弁を介して導通せられ、一次回収タンクから導出された吸込管の先端部が液体または固液混合体の供給源へ開口され、一次回収タンクの上方部は吸気管路により真空発生装置の吸込口へ連通され、二次回収タンクの上方部には圧力センサが付設されると共に下方部からは圧送用開閉弁を介して揚送管路が導延せられ、コンプレッサから導出された送気管が分岐されてその一路は加圧排出用開閉弁を介して二次回収タンク内へ開口され、送気管の他の一路は加圧圧送用開閉弁を介して圧送用開閉弁の二次側より揚送管路内へ開口せられ、二次回収タンクの上方部と一次回収タンクの上方部とが連通用開閉弁を介して通気管の導通により同圧となるように構成されており、上記圧力センサの検知によって圧送用開閉弁および加圧排出用開閉弁を閉作動させてから、連通用開閉弁を開作動させて二次回収タンクと一次回収タンク内を同様の減圧状態となしたのち、切換弁を開作動させることで一次回収タンク内の貯留物を二次回収タンク内へ流下させる。
【０００６】
【実施例】
以下本発明実施例の図１により説明をする。
【０００７】
１は一次回収タンク、２は二次回収タンクであって、上方に位置する一次回収タンク１の下底部が下方に位置する二次回収タンク２と切換弁３を介して導通されている。４は一次回収タンク１から導出された吸込管であり、その導出先端部は泥水や浚渫物などの供給源へ開口される。５は一次回収タンク１の上方部から導出されて真空発生装置６の吸込口と連通する吸気管路、７は二次回収タンク２の上方部に付設された圧力センサ、８は二次回収タンク２内の下方部から導出せられ圧送用開閉弁９を介して導延される揚送管、１０は二次回収タンク２の上方部と一次回収タンク１の上方部とを導通させる通気管であり、連通用開閉弁１１が介装されている。１２はコンプレッサ１３から導出された送気管で、二路に分岐されてその一路１２Ａは加圧排出用開閉弁１４を介して二次回収タンク２内へ開口され、他の一路１２Ｂは加圧圧送用開閉弁１５を介して圧送用開閉弁９の二次側より揚送管路８内へ開口されている。
【０００８】
【作用】
真空発生装置６が駆動し、切換弁３と連通開閉弁１１が開状態で、加圧排出用開閉弁１４が閉状態にあるとき、一次回収タンク１内および二次回収タンク２内は減圧される。従って吸込管４の導出先端部を泥水や浚渫物などの供給源へ開口させれば、吸引された回収物は一次回収タンク１内から切換弁３を通過して二次回収タンク２内へ流入し二次回収タンク2内に貯留された固分はタイマーにより適時排出されるが、切換弁３および連通用開閉弁１１が閉成することで一次回収タンク1と二次回収タンク２とは遮蔽され、一次回収タンク1内の減圧状態は維持されているので供給源からの回収作用は継続される。そして加圧圧送用開閉弁１５が閉じ圧送用開閉弁９および加圧排出用開閉弁１４が開となることで、二次回収タンク2内の貯留物は圧縮空気により一気に排出されるが、二次回収タンク2内の圧力が予め定めた所定値まで低下すれば、圧力センサ７の検知作用で二次回収タンク2内の貯留物の排出が終了したものと判断する。それまでの間上記供給源からの回収物は一時的に一次回収タンク1内に貯留され、上記二次回収タンク2内の貯留物排出終了すなわち、上記弁作動と逆の圧送用開閉弁９および加圧排出用開閉弁１４の閉作動をまって加圧圧送用開閉弁１５を開とし、揚送管８に残存するスラリー閉塞を抑制しながら連通用開閉弁１１が開となることにより二次回収タンク2内を一次回収タンク1内と同様の減圧状態となしたのち、切換弁３が開となり一次回収タンク1内の貯留物が二次回収タンク2内へ流下する。
【０００９】
上述の作動を１サイクルとしてこれを反復継続させることにより、液体または固液混合体の連続的な回収と間欠的な排出作用が円滑かつ強力に行われることになる。なお、圧送用開閉弁９が閉作動中は加圧圧送用開閉弁１５は常時開状態としておいてもよい。
【００１０】
【発明の効果】
本発明吸排装置によれば、真空発生装置の吸引作用によって回収された液体や固液混合体の排送作用が、コンプレッサから二次回収タンク内に加えられる加圧排出作用と揚送管路内に加えられる加圧圧送作用と両々相まって極めて強力に行われる。従って回収物中に固分が多く含まれいる場合でも、回収タンク内に残存することなく確実に排出せられ、高濃度スラリーの高揚程吸排用としても使用が可能である。また、構造簡潔で小型に構成し得るため狭隘な作用現場、例えばシールド工法における立坑および斜坑内に搬入して使用するのに適している。
【図面の簡単な説明】
【図１】本発明吸排装置における管路系統を示した説明図である。
【図２】従来の吸排装置における管路系統を例示した説明図である。
【符号の説明】
１      一次回収タンク
２      二次回収タンク
３      切換弁
４      吸込管
５      吸気管路
６      真空発生装置
７      圧力センサ
８      揚送管
９      圧送用開閉弁
１０    通気管
１１    連通用開閉弁
１２    送気管
１２Ａ  送気管の分岐された一路
１２Ｂ  送気管の分岐された他の一路
１３    コンプレッサ
１４    加圧排出用開閉弁
１５    加圧圧送用開閉弁
【図１】
0004601090.tif 000002
【図２】
0004601090.tif 000003